(57)【特許請求の範囲】
【請求項１】
ハウジング壁（２）を有している蒸気タービンハウジングにおいて、
２つの周方向内側ウエブ（７，８）を有している補剛クレードル（４）が、前記ハウジング壁（２）の内側に取り付けられており、前記周方向内側ウエブ（７，８）が、アキシアル方向において互いに隣接して配置されており、前記ハウジング壁（２）からラジアル方向内方に突出しており、中央ウエブ（１６）が、アキシアル方向中央において前記周方向内側ウエブ（７，８）に対して平行に延在するように、前記周方向内側ウエブ（７，８）同士の間において前記ハウジング壁（２）の内側に取り付けられており、
前記中央ウエブ（１６）のラジアル方向内側リム（３４）が、前記ラジアル方向内側リム（３４）の長手方向端部の両方が前記ハウジング壁（２）に交わるように直線状とされ、これにより、前記中央ウエブ（１６）の周方向範囲（１８）が形成されており、
前記中央ウエブ（１６）が、前記中央ウエブ（１６）の前記ラジアル方向内側リム（３４）において、内方に面したＹ字状の形態で分岐されており、これにより、それぞれが隣接する前記周方向内側ウエブ（７，８）に至るまで延在していると共に前記周方向内側ウエブ（７，８）に移行する２つの移行ウエブ（２１，２２）が形成されており、
前記移行ウエブ（２１，２２）の周方向範囲（１５）の外側において、前記周方向内側ウエブ（７，８）が、前記ハウジング壁（２）に直接取り付けられており、前記移行ウエブ（２１，２２）の周方向範囲（１５）の内側において、前記周方向内側ウエブ（７，８）が、前記移行ウエブ（２１，２２）及び前記中央ウエブ（１６）を介して、前記ハウジング壁（２）に取り付けられていることを特徴とする蒸気タービンハウジング。
【請求項２】
前記中央ウエブ（１６）の前記ラジアル方向内側リム（３４）が、キンク点（３５）と、前記キンク点（３５）から前記ハウジング壁（２）に至るまで延在している前記ラジアル方向内側リム（３４）の直線状のリムセクション（３６，３７）とを有していることを特徴とする請求項１に記載の蒸気タービンハウジング。
【請求項３】
前記中央ウエブ（１６）の前記ラジアル方向内側リム（３４）が、前記キンク点（３５）において凹状の輪郭を有していることを特徴とする請求項２に記載の蒸気タービンハウジング。
【請求項４】
前記キンク点（３５）において前記リムセクション（３６，３７）同士が成す広がり角度（２３）が、１５０°〜１５５°の範囲にあることを特徴とする請求項３に記載の蒸気タービンハウジング。
【請求項５】
前記キンク点（３５）からの前記中央ウエブ（１６）の接線方向範囲（２０）が、前記キンク点（３５）における前記中央ウエブ（１６）のラジアル方向範囲（１９）の１２倍〜２０倍の範囲にあることを特徴とする請求項２〜４のいずれか一項に記載の蒸気タービンハウジング。
【請求項６】
前記キンク点（３５）における前記移行ウエブ（２１，２２）のラジアル方向範囲（２４）が、前記キンク点（３５）における前記中央ウエブ（１６）の前記ラジアル方向範囲（１９）の３倍〜７倍の範囲にあることを特徴とする請求項２〜５のいずれか一項に記載の蒸気タービンハウジング。
【請求項７】
ハウジング壁厚さ（２７）に対する前記移行ウエブ（２１，２２）
の厚さ（２８）の比が、０．８〜１．２の範囲にあることを特徴とする請求項１〜６のいずれか一項に記載の蒸気タービンハウジング。
【請求項８】
前記移行ウエブ（２１，２２）が、前記中央ウエブ（１６）の前記ラジアル方向内側リム（３４）において、６８°〜８５°の範囲にある開角度（１７）を有していることを特徴とする請求項１〜７のいずれか一項に記載の蒸気タービンハウジング。
【請求項９】
前記補剛クレードル（４）が、２つの周方向外側ウエブ（５，６）を有しており、前記周方向外側ウエブ（５，６）が、アキシアル方向において隣接して配置されており、前記ハウジング壁（２）からラジアル方向内方に突出しており、前記周方向内側ウエブ（７，８）が、アキシアル方向中央において前記周方向外側ウエブ（５，６）に対して平行に延在するように、前記周方向外側ウエブ（５，６）同士の間に配設されており、
前記周方向外側ウエブ（５，６）が、アキシアル方向において前記周方向内側ウエブ（７，８）に向かって傾斜していることを特徴とする請求項１〜８のいずれか一項に記載の蒸気タービンハウジング。
【請求項１０】
前記周方向内側ウエブ（７，８）が、前記周方向内側ウエブ（７，８）の隣接する前記周方向外側ウエブ（５，６）に対して平行となるように、アキシアル方向において傾斜していることを特徴とする請求項９に記載の蒸気タービンハウジング。
【請求項１１】
請求項１〜１０のいずれか一項に記載の蒸気タービンハウジング（１）を有している蒸気タービンにおいて、
前記蒸気タービンハウジング（１）が、溶接された構造体であることを特徴とする蒸気タービン。
【請求項１２】
前記蒸気タービンハウジング（１）が、低圧タービン内側ハウジングであることを特徴とする請求項１１に記載の蒸気タービン。
【発明の詳細な説明】
【技術分野】
【０００１】
本発明は、蒸気タービンハウジングに、及び当該蒸気タービンハウジングを備えた蒸気タービンに関する。
【背景技術】
【０００２】
発電所では、発電するために発電機が設けられており、例えば流体エネルギ機械によって駆動されている。流体エネルギ機械とは、蒸気タービンや蒸気タービンと組み合わせて利用されるガスタービンである。一般に、蒸気タービンによって完全に駆動される発電所（蒸気発電所：ＳＰＰ）は、ベースロード容量を提供するために利用されている。一方、ガス及び蒸気によって駆動される発電所（コンバインドサイクル発電所：ＣＣＰＰ）は、最大負荷に応じて起動され、運転停止される。従来技術に基づく発電所の構成では、ＣＣＰＰのための蒸気タービンは、大きな負荷を周期的に受けることに特徴づけられており、蒸気タービンにおいて排出が実施されない。これとは逆に、従来技術に基づく蒸気発電所では、蒸気タービンに作用する周期的な負荷は僅かであり、蒸気タービンにおいて排出が実施される。従って、ＣＣＰＰ蒸気タービンの構成はＳＰＰ蒸気タービンの構成と相違する。
【０００３】
蒸気タービンは、一般に、その内側ハウジングが溶接構造体として実現されている低圧タービンを有している。ＳＰＰ蒸気タービンの場合に実施すべき排出に関連する様々な強度要件及び強度設計に鑑みて、ＣＣＰＰ蒸気タービンのための内側ハウジングの構成は、ＳＰＰ蒸気タービンのための内側ハウジングの構成と相違する。一般に、補剛クレードルは、ＳＰＰ蒸気タービンのための内側ハウジングの排出箇所に設けられている。このような補剛クレードルは、ＣＣＰＰ蒸気タービンのための内側ハウジング内に配設される必要が無い。ＣＣＰＰ蒸気タービンが排出口を装備していないからである。さらに、補剛クレードルをＣＣＰＰ蒸気タービンの内側ハウジング内に設けることは不利である。補剛クレードルが、その構造に起因して負荷を変更するための限定された容量を有しているにすぎないので、補剛クレードルが、ＣＣＰＰ蒸気タービンの内側ハウジング内に設けられている場合に大きな周期的な負荷に耐えることができなくなるからである。従って、ＳＰＰ蒸気タービンの内側ハウジングの構造とは異なる溶接構造体が、ＣＣＰＰ蒸気タービンの内側ハウジングのために利用可能とされる。その結果として、蒸気タービンを製造する場合に、ＣＣＰＰ蒸気タービンのための内側ハウジングとＳＰＰ蒸気タービンのための内側ハウジングとは別々に製造され、両方の内側ハウジングが対応する格納庫内に維持されている。しかしながら、このことは、対応する格納庫を伴う別々の製造がＳＰＰ蒸気タービン及びＣＣＰＰ蒸気タービンの両方のために実施する必要があるという欠点を有している。
【発明の概要】
【発明が解決しようとする課題】
【０００４】
本発明の目的は、ＣＣＰＰ蒸気タービン及びＳＰＰ蒸気タービンの両方に適合する蒸気タービンハウジングを提供することである。
【課題を解決するための手段】
【０００５】
本発明における蒸気タービンハウジングは、ハウジング壁を有しており、２つの周方向内側ウエブを有している補剛クレードルが、ハウジング壁の内側に取り付けられており、周方向内側ウエブが、アキシアル方向において互いに隣接して配置されており、ハウジング壁からラジアル方向内方に突出しており、中央ウエブが、アキシアル方向中央において周方向内側ウエブに対して平行に延在するように、周方向内側ウエブ同士の間においてハウジング壁の内側に取り付けられており、中央ウエブのラジアル方向内側リムが、ラジアル方向内側リムの長手方向端部の両方がハウジング壁に交わるように直線状とされ、これにより、中央ウエブの周方向範囲が形成されており、中央ウエブが、中央ウエブのラジアル方向内側リムにおいて、内方に面したＹ字状の形態で分岐されており、これにより、それぞれが隣接する周方向内側ウエブに至るまで延在していると共に周方向内側ウエブに移行する２つの移行ウエブが形成されており、移行ウエブの周方向範囲の外側において、周方向内側ウエブが、ハウジング壁に直接取り付けられており、移行ウエブの周方向範囲の内側において、周方向内側ウエブが、移行ウエブ及び中央ウエブを介して、ハウジング壁に取り付けられている。
【０００６】
本発明では、補剛クレードルが中央ウエブを具備して構成されているので、補剛クレードルの周期的ロード容量は大きい。その結果として、本発明における補剛クレードルを具備した蒸気タービンハウジングは、ＳＰＰ蒸気タービンのみならず、高い周期的負荷が補剛クレードルに作用するＣＣＰＰ蒸気タービンでも利用可能とされる。このことの優位な結果は、蒸気タービンハウジングが両方の蒸気タービンのタイプに適合しているので、ＳＰＰ蒸気タービン及びＣＣＰＰ蒸気タービンの両方のための蒸気タービンハウジングを提供することができることである。その後の製造ステップにおいて、蒸気タービンハウジングは、例えば供給配管が蒸気タービンハウジングに取り付けられる点に関して、ＳＰＰ蒸気タービンと共に利用するように準備される。好ましくは、供給配管は、中央ウエブの領域に配置されている。
【０００７】
ＳＰＰ蒸気タービン及びＣＣＰＰ蒸気タービンを製造するために、本発明における蒸気タービンハウジングによって、両方の蒸気タービンタイプに適合する“中間的なハウジング”を提供することができる。好ましくは、“中間的なハウジング”は、従来技術に基づくＣＣＰＰ蒸気タービンハウジングに対応する形状を有しており、本発明における補剛クレードルを装着している。その後に、蒸気タービンハウジングは、交換することなく据付可能とされ、すなわちＣＣＰＰ蒸気タービン内に直接据付可能とされる。蒸気タービンハウジングがＳＰＰ蒸気タービン内に据え付けられている場合には、対応する排出パイプを蒸気タービンハウジングに取り付けることのみが、その後の交換において必要とされる。その後の交換に要する労力は、別々の蒸気タービンハウジングが製造され、ＣＣＰＰ蒸気タービン及びＳＰＰ蒸気タービンの両方のために準備された状態を維持している場合における労力より小さい。さらに、本発明における蒸気タービンハウジングは、蒸気タービンハウジングが大量に製造可能とされるという利点を有している。蒸気タービンハウジングは、ＣＣＰＰ蒸気タービン及びＳＰＰ蒸気タービンの両方に適合しているからである。補剛クレードルは、本発明における構造を備えているので、ＣＣＰＰ蒸気タービン内における大きな周期的ロードに耐えることができる。
【０００８】
好ましくは、中央ウエブの内側リムは、キンク点を有しており、内側リムの直線状のリムセクションは、このキンク点からハウジング壁に至るまで延在している。中央ウエブの内側リムは、好ましくは、キンク点において凹状の輪郭を有しており、キンク点おいてリムセクション同士が成す広がり角度は、好ましくは１５０°〜１５５°の範囲にある。
【０００９】
好ましくは、キンク点からの中央ウエブの接線方向範囲は、キンク点における中央ウエブのラジアル方向範囲の１２倍〜２０倍の範囲にある。好ましくは、キンク点における移行ウエブのラジアル方向範囲は、キンク点における中央ウエブのラジアル方向範囲の３倍〜７倍の範囲にある。ハウジング壁の厚さに対する移行ウエブの厚さの比が０．８倍〜１．２倍であるならば、さらに好ましい。好ましくは、移行ウエブは、中央ウエブの内側リムにおいて６８°〜８５°の開き角度を有している。
【００１０】
補剛クレードルは、好ましくは、アキシアル方向において隣接して配置されていると共にハウジング壁からラジアル方向内方に突出している、２つの周方向外側ウエブを有している。内側ウエブが、外側ウエブに対して平行に且つアキシアル方向中央に向かって延在しているように外側ウエブ同士の間に配置されている。内側ウエブが当該内側ウエブに隣接する外側ウエブに対して平行となるようにアキシアル方向に傾斜していることが望ましい。
【００１１】
蒸気タービンハウジングは、好ましくは、溶接構造体とされる。蒸気タービンハウジングが低圧タービン内側ハウジングであることがさらに望ましい。
【００１２】
本発明における蒸気タービンハウジングの好ましい実施例については、添付の概略的な図面を参照しつつ以下に説明する。
【図面の簡単な説明】
【００１３】
【図１】本発明における蒸気タービンハウジングの実施例の、図２に表わす断面Ｉ−Ｉの縦断面図である。
【図２】本発明における蒸気タービンハウジングの実施例の、図１に表わす断面ＩＩ−ＩＩの横断面図である。
【図３】本発明における蒸気タービンハウジングの実施例から形成されたＳＰＰ蒸気タービンハウジングの部分的な斜視図である。
【図４】本発明における蒸気タービンハウジングの実施例から形成されたＳＰＰ蒸気タービンハウジングの部分的な斜視図である。
【図５】本発明における蒸気タービンハウジングの実施例の、部分的に断面を示す斜視図である。
【図６】従来技術に基づく蒸気タービンハウジングの、部分的に断面を示す斜視図である。
【発明を実施するための形態】
【００１４】
図１及び図５に表わすように、蒸気タービンハウジング１は、ハウジング壁２を有している。パイプ３は、蒸気タービンハウジング１に設けられている。周方向に対称な補剛クレードル４は、ハウジング壁２の内側に配設されている。
【００１５】
補剛クレードル４は、第１の外側ウエブ５と第２の外側ウエブ６とを有しており、第１の外側ウエブ５及び第２の外側ウエブ６は、補剛クレードル４のアキシアル方向範囲の境界を形成している。第１の外側ウエブ５及び第２の外側ウエブ６は、ハウジング壁２の内側に取り付けられており、蒸気タービンハウジング１の内部に向かってラジアル方向内方に突出している。補剛クレードル４は、第１の内側ウエブ７と第２の内側ウエブ８とをさらに有している。第１の内側ウエブ７及び第２の内側ウエブ８は、蒸気タービンハウジング１の周囲に亘って延在しており、第１の外側ウエブ５と第２の外側ウエブ６との間に配置されている。第１の外側ウエブ５及び第２の外側ウエブ６と同様に、第１の内側ウエブ７及び第２の内側ウエブ８は、蒸気タービンハウジング１の内部に向かってラジアル方向内方に突出している。ここで、第１の外側ウエブ５及び第２の外側ウエブ６の内径は、第１の内側ウエブ７及び第２の内側ウエブ８の内径と同一である。円筒状の穴付きストリップ９は、複数の穴１０によって形成されると共に周囲に延在する一列の穴を有しており、第１の外側ウエブ５及び第１の内側ウエブ７のラジアル方向内側リムにおいて第２の外側ウエブ６と第２の内側ウエブ８との間に配設されている。同様に、穴付きストリップ９は、複数の穴１０を有しており、第２の外側ウエブ６と第２の内側ウエブ８との間に配設されている。第１の内側ウエブ７及び第２の内側ウエブ８は、アキシアル方向において互いから離隔して配置されているが、周方向に亘って配置されている複数のタイロッド１１を介して接続されている。
【００１６】
第１の外側ウエブ５及び第２の外側ウエブ６は、ラジアル方向内方に見た場合に互いに向かって傾斜して配置されている。第１の外側ウエブ５及び第２の外側ウエブ６は、外側ウエブ傾斜角度１２を有している。第１の内側ウエブ７は、第１の外側ウエブ５に対して平行に傾斜して配置されており、第２の内側ウエブ８は、第２の外側ウエブ６に対して平行に傾斜して配置されているので、第１の内側ウエブ７及び第２の内側ウエブ８は、内側ウエブ傾斜角度１３を有している。従って、外側ウエブ傾斜角度１２と内側ウエブ傾斜角度１３とは同じ大きさとされる。
【００１７】
第１の内側ウエブ７及び第２の内側ウエブ８それぞれが、９０°〜１８０°の、当該実施例では１２０°の補剛セグメント角度１５を有している補剛セグメント１４を有している。補剛セグメント１４の外側では、第１の内側ウエブ７及び第２の内側ウエブ８がハウジング壁２に取り付けられている。補剛セグメント１４の内側では、補剛クレードル４が中央ウエブ１６を有しており、中央ウエブ１６は、第１の内側ウエブ７と第２の内側ウエブ８との間においてその中央に配置されており、ハウジング壁２の内側に取り付けられており、ハウジング壁２からラジアル方向内方に突出している。ラジアル方向内方の側では、中央ウエブ１６は、ラジアル方向内方に向かってＹ字状に分岐しており、第１の移行ウエブ２１と第２の移行ウエブ２２とに移行する。第１の移行ウエブ２１と第２の移行ウエブ２２とが、中央開角度１７を成して配置されている。中央開角度１７は６８°〜８５°の範囲にある。
【００１８】
中央ウエブ１６は、周方向に延在しており、中央セグメント角度１８を囲んでいる。中央セグメント角度１８は、３０°〜９０°の範囲にあり、当該実施例では７０°である。
【００１９】
中央ウエブ１６は、その中央地点においてキンク点３５を有しており、キンク点から延在している第１のリムセクション３６及び第２のリムセクション３７を有している。中央ウエブ１６は、第１のリムセクション３６及び第２のリムセクション３７によって形成されているラジアル方向内側リム３４を有している。第１のリムセクション３６及び第２のリムセクション３７は、中央ウエブ１６のラジアル方向内方における境界を形成している。第１のリムセクション３６及び第２のリムセクション３７は直線状とされる。第１のリムセクション３６及び第２のリムセクション３７は、キンク点３５を通過するラジアル方向に関して対称に配置されている割線を形成している。キンク点３５において、第１のリムセクション３６と第２のリムセクション３７とは、互いに関連して１８０°より小さい広がり角度２３を形成している。従って、第１のリムセクション３６及び第２のリムセクション３７は、中央ウエブ１６の内側リムを周方向に亘って凹状の輪郭に形成している。キンク点３５において、中央ウエブ１６は、中央ウエブ高さ１９を有しており、キンク点３５を通過するラジアル方向に対して垂直とされる第１のリムセクション３６及び第２のリムセクション３７の範囲が、中央ウエブ幅２０と呼称される。中央ウエブ高さ１９に対する中央ウエブ幅２０の比は、１２〜２０の範囲である。
【００２０】
第１の移行ウエブ２１及び第２の移行ウエブ２２は、中央ウエブ１６の第１のリムセクション３６及び第２のリムセクション３７からラジアル方向内方に延在しており、中央ウエブ開角度１７を成して互いに対して傾斜しており、第１の内側ウエブ７と第２の内側ウエブ８とに移行している。第１の移行ウエブ２１は第１の内側ウエブ７に移行しており、第２の移行ウエブ２２は第２の内側ウエブ８に移行している。キンク点３５において、ラジアル方向内方から見ると、第１の移行ウエブ２１及び第２の移行ウエブ２２の高さが、移行ウエブ高さ２４である。中央ウエブ高さ１９に対する移行ウエブ高さ２４の比は、４〜８の範囲である。
【００２１】
第１の移行ウエブ２１及び第２の移行ウエブ２２は、第１のリムセクション３６からラジアル方向内方に向かって、第１のインターセクション縁部２５を第１の内側ウエブ７及び第２の内側ウエブ８に形成しており、第１の移行ウエブ２１及び第２の移行ウエブ２２は、第２のリムセクション３７からラジアル方向内方に向かって、第２のインターセクション縁部２６を第１の内側ウエブ７及び第２の内側ウエブ８に形成している。第１のリムセクション３６及び第２のリムセクション３７が直線状とされるので、第１の移行ウエブ２１及び第２の移行ウエブ２２は、プレート状の形態とされ、キンク点３５において広がり角度２３に関して対称にキンクを有している。第１の移行ウエブ２１及び第２の移行ウエブ２２は、第１のインターセクション縁部２５及び第２のインターセクション縁部２６において第１の内側ウエブ７及び第２の内側ウエブ８に移行するので、第１のインターセクション縁部２５及び第２のインターセクション縁部２６は弧状とされる。
【００２２】
ハウジング壁２はハウジング壁厚さ２７を有しており、第１の移行ウエブ２１及び第２の移行ウエブ２２は移行ウエブ厚さ２８を有しており、ハウジング壁厚さ２７に対する移行ウエブ厚さ２８の比は、０．８〜１．２の範囲にある。
【００２３】
図３及び図４は、後に取り付けられる取り外し可能なパイプ２９〜３２を具備する蒸気タービンハウジング１を表わす。中央ウエブ１６のラジアル方向外方に取り付けられている第３の取り外し可能なパイプ３１については、中央ウエブ切欠部分３３が中央ウエブ１６に形成されている。
【００２４】
図６は、ハウジング壁１０２を有している従来技術に基づく蒸気タービンハウジング１０１を表わす。パイプ１０３は、蒸気タービンハウジング１０１に取り付けられている。補剛クレードル１０４は、蒸気タービンハウジング１０１内において、ハウジング壁１０２のラジアル方向内方の側面に配設されている。補剛クレードル１０４は、第１の外側ウエブ１０５と第２の外側ウエブ１０６と第１の内側ウエブ１０７と第２の内側ウエブ１０８とを有している。第１の外側ウエブ１０５と第２の外側ウエブ１０６と第１の内側ウエブ１０７と第２の内側ウエブ１０８とが、互いに対して平行とされると共にハウジング壁１０２の周囲に延在しているように、ハウジング壁１０２のラジアル方向内方の側面に固定されている。複数の周方向穴１１０を具備する穴付きストリップ１０９は、第１の外側ウエブ１０５と第１の内側ウエブ１０７との間に、及び第２の外側ウエブ１０６と第２の内側ウエブ１０８との間にそれぞれ配設されている。第１の内側ウエブ１０７及び第２の内側ウエブ１０８は、アキシアル方向において互いから離隔して配置されているが、周方向に亘って等間隔で配置されている複数のタイロッド１１１を介して接続されている。第１の外側ウエブ１０５と第２の外側ウエブ１０６と第１の内側ウエブ１０７と第２の内側ウエブ１０８とが、互いに対して平行に且つハウジング壁１０２に対して直角に配置されている。
【符号の説明】
【００２５】
１  蒸気タービンハウジング
２  ハウジング壁
３  パイプ
４  補剛クレードル
５  第１の外側ウエブ
６  第２の外側ウエブ
７  第１の内側ウエブ
８  第２の内側ウエブ
９  穴付きストリップ
１０  穴
１１  タイロッド
１２  外側ウエブ傾斜角度
１３  内側ウエブ傾斜角度
１４  補剛セグメント
１５  補剛セグメント角度
１６  中央ウエブ
１７  中央開角度
１８  中央セグメント角度
１９  中央ウエブ高さ
２０  中央ウエブ幅
２１  第１の移行ウエブ
２２  第２の移行ウエブ
２３  広がり角度
２４  移行ウエブ高さ
２５  第１のインターセクション縁部
２６  第２のインターセクション縁部
２７  ハウジング壁厚さ
２８  移行ウエブ厚さ
３３  中央ウエブ切欠部分
３４  ラジアル方向内側リム
３５  キンク点
３６  第１のリムセクション
３７  第２のリムセクション
１０１  蒸気タービンハウジング
１０２  ハウジング壁
１０３  パイプ
１０４  補剛クレードル
１０５  第１の外側ウエブ
１０６  第２の外側ウエブ
１０７  第１の内側ウエブ
１０８  第２の内側ウエブ
１０９  穴付きストリップ
【図１】
0005727101.tif 000002
【図２】
0005727101.tif 000003
【図３】
0005727101.tif 000004
【図４】
0005727101.tif 000005
【図５】
0005727101.tif 000006
【図６】
0005727101.tif 000007